(57)【要約】【課題】記録媒体に吐出されたインクを乾燥する送風装置を小型化することができるインクジェットプリンタを提供する。【解決手段】プリンタ１０は、記録媒体５が載置されるプラテン２０と、主走査方向Ｙに移動自在に設けられ、記録媒体５にインクを吐出するインクヘッド３０と、プラテン２０の上方および側方に配置され、インクヘッド３０よりも副走査方向Ｘの下流側に開口１４が形成されたカバー部材１２と、カバー部材１２に取り付けられ、開口１４を開閉するフロントカバー２４と、フロントカバー２４に設けられた送風する送風装置６０と、を備えている。【選択図】図３
2018176455.tif 000002
【特許請求の範囲】
【請求項１】
記録媒体が載置されるプラテンと、
主走査方向に移動自在に設けられ、前記記録媒体にインクを吐出するインクヘッドと、  前記記録媒体を前記主走査方向と直交する副走査方向に搬送する搬送機構と、
前記プラテンの上方および側方に配置され、前記インクヘッドよりも前記副走査方向の下流側に開口が形成されたカバー部材と、
前記カバー部材に取り付けられ、前記開口を開閉するフロントカバーと、
前記フロントカバーに設けられた送風装置と、を備えている、インクジェットプリンタ。
【請求項２】
前記送風装置は、前記プラテンに載置された前記記録媒体のうち前記フロントカバーよりも前記副走査方向の下流側の部分に向けて空気を送風するように構成されている、請求項１に記載のインクジェットプリンタ。
【請求項３】
前記送風装置は、前記フロントカバーの下端に設けられている、請求項１または２に記載のインクジェットプリンタ。
【請求項４】
前記カバー部材は、前記プラテンの上方に配置された第１カバー部と、前記プラテンの側方に配置された第２カバー部と、を備え、
前記第２カバー部内には、前記送風装置に空気を供給するファンが配置されている、請求項１から３のいずれか一項に記載のインクジェットプリンタ。
【請求項５】
前記送風装置は、前記主走査方向に延び、前記ファンから供給された空気が流通する本体部と、前記本体部に設けられ、前記ファンから供給された空気が流入する空気流入口と、前記本体部に設けられ、前記主走査方向に延び、前記本体部内の空気を前記プラテンに載置された前記記録媒体のうち前記フロントカバーよりも前記副走査方向の下流側に向けて排出する空気排出口と、を備えている、請求項４に記載のインクジェットプリンタ。
【請求項６】
前記送風装置は、前記本体部の内部かつ前記空気流入口と前記空気排出口との間に設けられ、前記主走査方向に延びる突条部を備えている、請求項５に記載のインクジェットプリンタ。
【請求項７】
一端が前記ファンに接続されかつ他端が前記空気流入口に接続可能に構成され、前記ファンから供給された空気が流れる空気流通管、を備え、
前記フロントカバーによって前記開口が閉じられているときに前記空気流通管の前記他端と前記空気流入口とが接続される、請求項５または６に記載のインクジェットプリンタ。
【請求項８】
前記空気流入口と連通し、環状に形成された弾性変形可能な連結部材を備え、
前記フロントカバーによって前記開口が閉じられているときに、前記空気流通管の前記他端は前記連結部材にはまり込む、請求項７に記載のインクジェットプリンタ。
【請求項９】
前記空気流入口は、前記主走査方向に開口し、
前記ファンと前記空気流入口とは、前記主走査方向に並んで配置されている、請求項５から８のいずれか一項に記載のインクジェットプリンタ。
【請求項１０】
前記カバー部材に設けられたカバー側係合部と、
前記送風装置に設けられた装置側係合部と、を備え、
前記フロントカバーによって前記開口が閉じられているときに前記カバー側係合部と前記装置側係合部とが係合する、請求項５から９のいずれか一項に記載のインクジェットプリンタ。
【請求項１１】
前記ファンの風下側かつ前記空気排出口の風上側に設けられ、前記ファンから供給された空気を加熱するヒータを備えている、請求項４から１０のいずれか一項に記載のインクジェットプリンタ。
【発明の詳細な説明】
【技術分野】
【０００１】
本発明は、インクジェットプリンタに関する。
【背景技術】
【０００２】
従来から、インクジェット方式により記録媒体上に所定の印刷を行うインクジェット式記録装置（以下、「インクジェットプリンタ」という。）が知られている。インクジェットプリンタは、記録媒体が載置されるプラテンと、プラテンに載置された記録媒体にインクを吐出するインクヘッドを備えている。記録媒体に吐出されたインクが乾燥されることによって、記録媒体に画像が形成される。
【０００３】
例えば、特許文献１には、記録媒体に吐出されたインクの乾燥を促進する手段として、プラテンに設けられたプリントヒータが開示されている。また、インクの乾燥を促進する他の手段として、図８に示すように、記録媒体１００に吐出されたインクに向けて空気を送風する複数のファン１１０を備えた送風装置１２０がインクヘッド１３０の下流側に設けられた構成が知られている。
【先行技術文献】
【特許文献】
【０００４】
【特許文献１】特許第４８８９０５９号公報
【発明の概要】
【発明が解決しようとする課題】
【０００５】
ところで、図８に示すような送風装置１２０を備えたインクジェットプリンタ１５０では、比較的大きな送風装置１２０がプラテン１６０より前方（作業者側）に配置されている。このため、作業者によって記録媒体１００をプラテン１６０に載置する際に、送風装置１２０が記録媒体１００の載置の妨げとなる。
【０００６】
本発明はかかる点に鑑みてなされたものであり、その目的は、記録媒体に吐出されたインクを乾燥する送風装置を小型化することができるインクジェットプリンタを提供することである。
【課題を解決するための手段】
【０００７】
本発明に係るインクジェットプリンタは、記録媒体が載置されるプラテンと、主走査方向に移動自在に設けられ、前記記録媒体にインクを吐出するインクヘッドと、前記記録媒体を前記主走査方向と直交する副走査方向に搬送する搬送機構と、前記プラテンの上方および側方に配置され、前記インクヘッドよりも前記副走査方向の下流側に開口が形成されたカバー部材と、前記カバー部材に取り付けられ、前記開口を開閉するフロントカバーと、前記フロントカバーに設けられた送風装置と、を備えている。
【０００８】
本発明のインクジェットプリンタによると、プラテンに載置された記録媒体に空気を送風する送風装置がフロントカバーに設けられている。ここで、フロントカバーは、インクヘッドよりも副走査方向の下流側に形成された開口を開閉するようにカバー部材に取り付けられている。このため、作業者がプラテンに記録媒体を載置する際には、フロントカバーを開くことで送風装置もフロントカバーと共に移動することになる。このように、フロントカバーが開いているときには、プラテンより副走査方向の下流側（前方）には送風装置が位置しないため、作業者は送風装置に妨げられることなく記録媒体をプラテンに載置することができる。
【発明の効果】
【０００９】
本発明によれば、記録媒体に吐出されたインクを乾燥する送風装置を小型化すると共に、送風装置による印刷品質への影響が抑制されたインクジェットプリンタを提供することができる。
【図面の簡単な説明】
【００１０】
【図１】一実施形態に係るインクジェットプリンタを示す斜視図である。
【図２】一実施形態に係るインクジェットプリンタの一部を示す正面図である。
【図３】図２中のＩＩＩ−ＩＩＩ線に沿う断面図である。
【図４】図２のＩＶ部分の拡大図であり、一実施形態に係る送風装置を表す図である。
【図５】一実施形態に係るフロントカバーが閉じられている状態を示す側面図である。
【図６】一実施形態に係るフロントカバーが開いている状態を示す側面図である。
【図７】一実施形態に係る連結部材の斜視図である。
【図８】従来の送風装置を備えたインクジェットプリンタを示す斜視図である。
【発明を実施するための形態】
【００１１】
以下、図面を参照しながら、一実施形態に係るインクジェットプリンタ（以下、プリンタ１０とする。）について説明する。なお、ここで説明される実施形態は、当然ながら特に本発明を限定することを意図したものではない。また、同じ作用を奏する部材・部位には同じ符号を付し、重複する説明は適宜省略または簡略化する。
【００１２】
図１は、本実施形態に係るプリンタ１０を示す斜視図である。図１に示すように、プリンタ１０は、記録媒体５に印刷を行う。記録媒体５は、例えば、記録紙である。ただし、記録媒体５は、記録紙に限定されない。記録媒体５は、普通紙やインクジェット用印刷紙等の紙類以外に、ポリ塩化ビニルやポリエステル等の樹脂製のシートやフィルム、織布や不織布等の布帛、その他の媒体であってもよい。
【００１３】
以下の説明では、左、右、上、下とは、プリンタ１０の正面にいる作業者から見た左、右、上、下をそれぞれ意味することとする。また、プリンタ１０から上記作業者に近づく方を前方、遠ざかる方を後方とする。図面中の符号Ｆ、Ｒｒ、Ｌ、Ｒ、Ｕ、Ｄは、それぞれ前、後、左、右、上、下を表す。図面中の符号Ｙは主走査方向を表す。本実施形態では、主走査方向Ｙは、左右方向である。主走査方向Ｙは、記録媒体５の幅方向である。図面中の符号Ｘは副走査方向を表す。副走査方向Ｘは主走査方向Ｙと交差する方向（例えば、平面視で垂直に交差する方向）である。本実施形態では、副走査方向Ｘは前後方向である。副走査方向Ｘは、記録媒体５の長手方向である。ただし、上記方向は便宜的に定めたものに過ぎず、限定的に解釈すべきものではない。
【００１４】
図１に示すように、プリンタ１０は、カバー部材１２と、プラテン２０と、インクヘッド３０と、左脚部４２Ｌと、右脚部４２Ｒと、送風装置６０とを備えている。左脚部４２Ｌおよび右脚部４２Ｒは、プラテン２０の下部に取り付けられている。左脚部４２Ｌおよび右脚部４２Ｒはプラテン２０を支持する。
【００１５】
図２に示すように、カバー部材１２は、プラテン２０の上方および側方に配置されている。カバー部材１２には、開口１４が形成されている。開口１４は、インクヘッド３０よりも副走査方向Ｘの下流側に形成されている。開口１４は、インクヘッド３０より前方に形成されている。カバー部材１２は、上カバー１６と、左サイドカバー１８Ｌと、右サイドカバー１８Ｒとを備えている。上カバー１６と左サイドカバー１８Ｌと右サイドカバー１８Ｒとによって開口１４が区画されている。上カバー１６は、主走査方向Ｙに延びる。上カバー１６は、プラテン２０の上方に配置されている。上カバー１６は、プラテン２０の上方の一部を覆う。上カバー１６は、インクヘッド３０より上方に配置されている。上カバー１６は、第１カバー部の一例である。左サイドカバー１８Ｌは、プラテン２０の左方に配置されている。左サイドカバー１８Ｌは、上カバー１６の左方に配置されている。右サイドカバー１８Ｒは、プラテン２０の右方に配置されている。右サイドカバー１８Ｒは、上カバー１６の右方に配置されている。左サイドカバー１８Ｌおよび右サイドカバー１８Ｒは、第２カバー部の一例である。なお、図２では、説明の便宜上左脚部４２Ｌおよび右脚部４２Ｒの図示を省略している。
【００１６】
図１に示すように、上カバー１６には、上カバー１６の前端を中心に回動可能なフロントカバー２４が設けられている。フロントカバー２４は、開口１４を開閉する。フロントカバー２４は、光を透過することが可能な材料から形成されている。本実施形態では、フロントカバー２４は、透明なアクリル樹脂から形成されている。フロントカバー２４を通して、作業者は印刷状態等を確認することができる。フロントカバー２４には、取っ手２５が設けられている。作業者が取っ手２５を前方に引き上げることによって、フロントカバー２４が開く。
【００１７】
図１に示すように、プラテン２０には、記録媒体５が載置される。プラテン２０は、記録媒体５を支持する。プラテン２０は、主走査方向Ｙに延びる。図３に示すように、プラテン２０は、平面部２０Ａと、湾曲部２０Ｂとを備えている。湾曲部２０Ｂは、平面部２０Ａの前縁から前斜め下方に向けて湾曲する。
【００１８】
図３に示すように、プラテン２０には、円筒状のグリッドローラ４４が設けられている。グリッドローラ４４は、その上面部を露出させた状態でプラテン２０に埋設されている。グリッドローラ４４は、フィードモータ（図示せず）によって駆動される。グリッドローラ４４は、記録媒体５を副走査方向Ｘに移動させる。グリッドローラ４４は、搬送機構の一例である。
【００１９】
グリッドローラ４４の上方には、ピンチローラ４６が配置されている。ピンチローラ４６は、グリッドローラ４４に対向している。ピンチローラ４６は、記録媒体５の厚さに応じて上下方向の位置を設定可能に構成されている。ピンチローラ４６は、記録媒体５を押さえる。ピンチローラ４６とグリッドローラ４４との間に記録媒体５を挟み込む。グリッドローラ４４およびピンチローラ４６は、記録媒体５を狭持しながら記録媒体５を副走査方向Ｘに搬送可能に構成されている。なお、図３では、一つのグリッドローラ４４と一つのピンチローラ４６のみを図示しているが、実際には、一対のグリッドローラ４４およびピンチローラ４６が複数設けられている。
【００２０】
図３示すように、カバー部材１２の内部には、ガイドレール４８が設けられている。ガイドレール４８は、プラテン２０の上方に配置されている。ガイドレール４８は、プラテン２０と平行に配置されている。ガイドレール４８は、主走査方向Ｙに延びている。ガイドレール４８には、キャリッジ５０が係合している。
【００２１】
図３に示すように、カバー部材１２の内部には、ベルト５２が設けられている。ベルト５２は、主走査方向Ｙに延びている。ベルト５２は、無端状のベルトである。ベルト５２の右端および左端には、プーリ５４、プーリ（図示せず）がそれぞれ巻き掛けられている。一方のプーリ５４には、当該プーリ５４を駆動するスキャンモータ（図示せず）に接続されている。スキャンモータが回転するとプーリ５４が回転し、ベルト５２が主走査方向Ｙに走行する。
【００２２】
図３に示すように、キャリッジ５０は、ベルト５２に固定されている。ベルト５２が走行すると、キャリッジ５０はガイドレール４８に沿って主走査方向Ｙに移動する。
【００２３】
図３に示すように、インクヘッド３０は、プラテン２０の上方に配置されている。インクヘッド３０は、記録媒体５にインクを吐出するノズル（図示せず）を備えている。インクヘッド３０は、キャリッジ５０に設けられている。キャリッジ５０が主走査方向Ｙに移動すると、インクヘッド３０も主走査方向Ｙに移動する。インクヘッド３０は、主走査方向Ｙに移動しながら記録媒体５に向かってインクを吐出する。
【００２４】
図１に示すように、送風装置６０は、フロントカバー２４に設けられている。送風装置６０は、フロントカバー２４の下端２４Ｂ（図３参照）に設けられている。送風装置６０は、プラテン２０に載置された記録媒体５のうちフロントカバー２４よりも副走査方向Ｘの下流側（前方）の部分５Ａに向けて空気を送風する。送風装置６０は、プラテン２０の湾曲部２０Ｂに載置された記録媒体５に向けて空気を送風してもよい。送風装置６０は、プラテン２０の平面部２０Ａおよび湾曲部２０Ｂに沿うように空気を送風してもよい。送風装置６０は、例えば、アルミ材によって形成されている。送風装置６０は、フロントカバー２４によって開口１４が閉じられているとき（以下、「フロントカバー２４が閉じられているとき」とする。）に空気を送風するように構成されている。なお、フロントカバー２４が閉じられているときには、送風装置６０の下端と記録媒体５の表面との間に隙間が存在する。即ち、送風装置６０と記録媒体５とは直接的に接触しない。
【００２５】
図２に示すように、左サイドカバー１８Ｌ内には、送風装置６０に空気を供給するファン５６が配置されている。ファン５６は、図示しない制御装置に接続されており、フロントカバー２４が閉じているときに駆動するように構成されている。ファンの構成は特に限定されず、従来公知のファンを用いることができる。
【００２６】
図２に示すように、カバー部材１２には、空気流通管５８が配置されている。空気流通管５８の一部は、左サイドカバー１８Ｌ内に配置されている。空気流通管５８の他の一部は、上カバー１６の下方に配置されている。空気流通管５８の一端５８Ａは、ファン５６に接続されている。ファン５６から供給された空気は、空気流通管５８内を流れる。図５に示すように、空気流通管５８の他端５８Ｂ（図６も参照）は、後述する空気流入口６４に接続されている。ファン５６から供給された空気は、空気流通管５８を介して空気流入口６４に導かれる。
【００２７】
図３に示すように、送風装置６０は、本体部６２と、空気流入口６４（図４参照）と、空気排出口６６と、第１突条部６８Ａと、第２突条部６８Ｂと、被覆部７０と、空気吸込口７２と、空気吐出口７４とを備えている。
【００２８】
図３に示すように、本体部６２は、フロントカバー２４の下端２４Ｂにはめ込まれている。図４に示すように、本体部６２は、主走査方向Ｙに延びる。ファン５６から供給された空気は、本体部６２内を流通する。
【００２９】
図５に示すように、空気流入口６４は、フロントカバー２４が閉じられているときに、副走査方向Ｘに開口している。なお、空気流入口６４は、主走査方向Ｙに開口していてもよい。空気流入口６４は、本体部６２に設けられている。図４に示すように、空気流入口６４は、本体部６２の左端に設けられている。空気流入口６４は、本体部６２の裏面６２Ａ（図３参照）に設けられている。ここで、本体部６２の裏面６２Ａとは、フロントカバー２４が閉じられているときの本体部６２の長手方向（主走査方向Ｙ）に延びる面のうち、副走査方向Ｘの上流側に位置する面である。裏面６２Ａは、フロントカバー２４が閉じられているとき、インクヘッド３０と対向する。一方、本体部６２の表面６２Ｂとは、フロントカバー２４が閉じられているときの本体部６２の長手方向（主走査方向Ｙ）に延びる面のうち、副走査方向Ｘの下流側に位置する面である。空気流入口６４には、ファン５６（図２参照）から供給された空気が流入する。ファン５６から供給された空気は、空気流入口６４を介して本体部６２内に流入し、本体部６２内を流通する。
【００３０】
図６に示すように、本体部６２の裏面６２Ａには、連結部材８０が設けられている。連結部材８０は、弾性変形可能に形成されている。連結部材８０は、例えば、ゴムにより形成されている。図７に示すように、連結部材８０は、環状に形成されている。連結部材８０には、貫通孔８２が形成されている。連結部材８０の貫通孔８２は、空気流入口６４と連通する。連結部材８０には、軸方向に延びる突起部８３が形成されている。図５に示すように、フロントカバー２４が閉じられているときに、空気流通管５８の他端５８Ｂは貫通孔８２にはまり込む。即ち、フロントカバー２４が閉じているときには、連結部材８０を介して空気流通管５８の他端５８Ｂと空気流入口６４とが接続されている。空気流通管５８の他端５８Ｂと連結部材８０の貫通孔８２とは、インロウ加工されている。一方、図６に示すように、フロントカバー２４が開いているときには、空気流通管５８の他端５８Ｂと空気流入口６４とは接続されていない。
【００３１】
図３に示すように、空気排出口６６は、本体部６２に設けられている。空気排出口６６は、本体部６２の先端に設けられている。空気排出口６６は、主走査方向Ｙに延びる。本実施形態では、空気排出口６６は、本体部６２の主走査方向Ｙの全体に亘って形成されている。空気排出口６６は、本体部６２内の空気をプラテン２０に載置された記録媒体５のうちフロントカバー２４よりも副走査方向Ｘの下流側（前方）の部分５Ａに向けて送風する。
【００３２】
図３に示すように、本体部６２には、第１突条部６８Ａと第２突条部６８Ｂとが形成されている。第１突条部６８Ａおよび第２突条部６８Ｂは、本体部６２内に形成されている。第１突条部６８Ａおよび第２突条部６８Ｂは、空気流入口６４と空気排出口６６との間に設けられている。第１突条部６８Ａおよび第２突条部６８Ｂは、空気流入口６４より風下側に設けられている。第１突条部６８Ａおよび第２突条部６８Ｂは、空気排出口６６より風上側に設けられている。第１突条部６８Ａは、第２突条部６８Ｂより風上側に設けられている。第１突条部６８Ａは、本体部６２の裏面６２Ａから表面６２Ｂに向けて突出している。第２突条部６８Ｂは、本体部６２の表面６２Ｂから裏面６２Ａに向けて突出している。図４に示すように、第１突条部６８Ａおよび第２突条部６８Ｂは、主走査方向Ｙに延びる。第１突条部６８Ａおよび第２突条部６８Ｂは、本体部６２の主走査方向Ｙの全体に亘って形成されている。本体部６２は、第１突条部６８Ａおよび第２突条部６８Ｂによって形成されたラビリンス構造を有する。図３および図４に示すように、空気流入口６４から本体部６２内に流入した空気は、第１突条部６８Ａおよび第２突条部６８Ｂを通り抜ける際に整流され、圧力が均一になる。これにより、空気排出口６６から排出される空気は、空気排出口６６の全体に亘って均一な風量となる。
【００３３】
図３に示すように、被覆部７０は、本体部６２の表面６２Ｂ側に設けられている。被覆部７０と本体部６２との間には空間が設けられている。空気吸込口７２は、被覆部７０の上端７０Ａに設けられている。ここで、被覆部７０の上端７０Ａとは、フロントカバー２４が閉じられているときの被覆部７０の上方の端部である。空気吸込口７２から吸い込まれた空気は、被覆部７０と本体部６２との間を流れる。空気吐出口７４は、被覆部７０の下端７０Ｂに設けられている。ここで、被覆部７０の下端７０Ｂとは、フロントカバー２４が閉じられているときの被覆部７０の下方の端部である。被覆部７０と本体部６２との間を流れる空気は、空気吐出口７４から排出される。空気吐出口７４から排出される空気は、本体部６２の空気排出口６６から排出される空気と一体となって、プラテン２０に載置された記録媒体５に向けて流れる。即ち、送風装置６０が被覆部７０を備えることによって、記録媒体５に送風される空気の量を増加させることができる。送風装置６０から送風される空気は、前斜め下方に向けて流れる。
【００３４】
図６に示すように、プリンタ１０は、カバー側係合部８４およびカバー側係合部８４と係合する装置側係合部８６を備えている。カバー側係合部８４および装置側係合部８６は、例えば、磁石によって形成されている。カバー側係合部８４は、カバー部材１２に設けられている。カバー側係合部８４は、プラテン２０より上方に配置されている。カバー側係合部８４は、例えば、左サイドカバー１８Ｌに設けられたブラケットに取り付けられている。装置側係合部８６は、送風装置６０に設けられている。装置側係合部８６は、本体部６２の裏面６２Ａに設けられている。装置側係合部８６は、空気流入口６４より空気排出口６６側に設けられている。図５に示すように、フロントカバー２４が閉じられているときにカバー側係合部８４と装置側係合部８６とが係合する。
【００３５】
以上のように、プリンタ１０では、プラテン２０に載置された記録媒体５に空気を送風する送風装置６０がフロントカバー２４に設けられている。ここで、フロントカバー２４は、インクヘッド３０よりも副走査方向Ｘの下流側に形成された開口１４を開閉するようにカバー部材１２に取り付けられている。このため、作業者がプラテン２０に記録媒体５を載置する際には、フロントカバー２４を開くことで送風装置６０もフロントカバー２４と共に移動することになる。このように、フロントカバー２４が開いているときには、プラテン２０より副走査方向Ｘの下流側（前方）には送風装置６０が位置しないため、作業者は送風装置６０に妨げられることなく記録媒体５をプラテン２０に載置することができる。
【００３６】
本実施形態のプリンタ１０では、送風装置６０は、記録媒体５のうちフロントカバー２４よりも副走査方向Ｘの下流側に向けて空気を送風する。このため、送風装置６０から送風された空気はインクヘッド３０の方向へは拡散しない。これにより、インクヘッド３０から吐出されたインクを記録媒体５の適切な位置に着弾させつつ、吐出されたインクの乾燥を促進することができる。
【００３７】
本実施形態のプリンタ１０では、送風装置６０は、フロントカバー２４の下端２４Ｂに設けられている。これにより、送風装置６０と記録媒体５との距離を小さくすることができ、送風装置６０から送風された空気をより効率よく記録媒体５に送ることができる。
【００３８】
本実施形態のプリンタ１０では、カバー部材１２は、プラテン２０の上方に配置された上カバー１６と、プラテン２０の左方に配置された左サイドカバー１８Ｌと、を備えている。左サイドカバー１８Ｌ内には、送風装置６０に空気を供給するファン５６が配置されている。ファン５６を送風装置６０とは別体に設けることができるため、比較的大きなファン５６を用いることができる。
【００３９】
本実施形態のプリンタ１０では、空気排出口６６は、主走査方向Ｙに延びる。これにより、より広範囲に亘ってファン５６から供給された空気を記録媒体５に送ることができる。
【００４０】
本実施形態のプリンタ１０では、送風装置６０は、本体部６２の内部かつ空気流入口６４と空気排出口６６との間に設けられ、主走査方向Ｙに延びる第１突条部６８Ａおよび第２突条部６８Ｂを備えている。これにより、本体部６２から第１突条部６８Ａおよび第２突条部６８Ｂを介して空気排出口６６へと導かれる空気の圧力がより一定になり、空気排出口６６から排出される空気の風量がより均一になる。
【００４１】
本実施形態のプリンタ１０では、フロントカバー２４によって開口１４が閉じられているときに空気流通管５８の他端５８Ｂと空気流入口６４とが接続される。一般に、フロントカバー２４を開いているときには、インクヘッド３０から記録媒体５にインクは吐出されず、記録媒体５に空気を送風する必要がない。このため、フロントカバー２４が閉じられたときに、空気流通管５８の他端５８Ｂと空気流入口６４とを接続する構成とすることで、送風装置６０から不要な空気を送風することを防止することができる。
【００４２】
本実施形態のプリンタ１０では、フロントカバー２４によって開口１４が閉じられているときに、空気流通管５８の他端５８Ｂは空気流入口６４と連通する連結部材８０にはまり込む。これにより、空気流通管５８と本体部６２との接続部分において、ファン５６から供給された空気が漏出することをより確実に抑制することができる。
【００４３】
本実施形態のプリンタ１０では、空気流入口６４は、主走査方向Ｙに開口し、ファン５６と空気流入口６４とは、主走査方向Ｙに並んで配置されていてもよい。これにより、ファン５６から供給された空気がよりスムーズに本体部６２内へと導かれる。
【００４４】
本実施形態のプリンタ１０では、フロントカバー２４によって開口が閉じられているときにカバー側係合部８４と装置側係合部８６とが係合する。これにより、空気流通管５８の他端５８Ｂと空気流入口６４との接続が解除されることを抑制することができる。
【００４５】
以上、本発明の好適な実施形態について説明した。しかし、上述の各実施形態は例示に過ぎず、本発明は他の種々の形態で実施することができる。
【００４６】
上述した実施形態では、ファン５６は、左サイドカバー１８Ｌ内に配置されていたが、これに限定されない。ファン５６は、右サイドカバー１８Ｒ内に配置されていてもよい。このとき、空気流入口６４は、本体部６２の右端に設けるとよい。
【００４７】
上述した実施形態では、送風装置６０は、被覆部７０を備えていたが、被覆部７０を備えず、本体部６２のみを備えていてもよい。
【００４８】
上述した実施形態では、本体部６２には、２つの第１突条部６８Ａと第２突条部６８Ｂとが形成されていたが、突条部の数は１つであってもよいし、３つ以上であってもよい。また、突状部の形状や大きさ、さらに突状部が形成される密度（単位面積当たりに形成される数）は、配置される位置に応じてそれぞれ異なっていても良い。また、突条部の延びる向きは、任意に設定することができる。
【００４９】
上述した実施形態では、カバー側係合部８４および装置側係合部８６は、それぞれ磁石によって形成されていたが、これに限定されない。カバー側係合部８４と装置側係合部８６とが係合することができる形状、例えば、カバー側係合部８４が挿入孔を備え、装置側係合部８６が該挿入孔に係合可能な突起部を備えるような構成であってもよい。
【００５０】
上述したプリンタ１０において、ファン５６の風下側かつ空気排出口６６の風上側に、ファン５６から供給された空気を加熱するヒータを設けてもよい。これにより、送風装置６０から暖められた空気を送風することができ、記録媒体５に吐出されたインクの乾燥をより効率よく行うことができる。例えば、該ヒータは、左サイドカバー１８Ｌ内かつファン５６と空気流通管５８との間に設けてもよい。また、空気流通管５８の周囲に該ヒータを配置し、空気流通管５８を介して空気を加熱してもよい。
【符号の説明】
【００５１】
５  記録媒体
１０  プリンタ（インクジェットプリンタ）
１２  カバー部材
１４  開口
２０  プラテン
２４  フロントカバー
３０  インクヘッド
５６  ファン
５８  空気流通管
６０  送風装置
６２  本体部
６４  空気流入口
６６  空気排出口
【図１】
2018176455.tif 000003
【図２】
2018176455.tif 000004
【図３】
2018176455.tif 000005
【図４】
2018176455.tif 000006
【図５】
2018176455.tif 000007
【図６】
2018176455.tif 000008
【図７】
2018176455.tif 000009
【図８】
2018176455.tif 000010